(57)【要約】【課題】同期回転子の起動に必要な電流を低減することで電動機の効率を向上し得ると共に、誘導回転子の回転速度を容易に変更し得るハイブリッド誘導電動機を提供する。【解決手段】ハイブリッド誘導電動機は、ケーシング（１１０ａ）内に固定設置される固定子（１１０）と、固定子のセンター部に回転可能に挿入され、中心に軸（１２１）が固定される誘導回転子（１２０）と、固定子と誘導回転子との間で軸の外周方向に自由回転可能に設置された第１同期回転子（１３０）と、第１同期回転子と対向するように、固定子と誘導回転子との間で軸の外周方向に自由回転可能に設置された第２同期回転子（１４０）とを有する。【選択図】図１
2006296184.tif 000002
【特許請求の範囲】
【請求項１】
ケーシングの内部に固定設置された固定子と、
前記固定子のセンター部に回転可能に挿入され、中心に軸が挿入固定された誘導回転子と、
前記固定子と前記誘導回転子との間で前記軸の外周方向に自由回転可能に設置された第１同期回転子と、
前記第１同期回転子と対向するように、前記固定子と前記誘導回転子との間で軸の外周方向に自由回転可能に設置された第２同期回転子と、
を有することを特徴とするハイブリッド誘導電動機。
【請求項２】
前記第１同期回転子は、
中央に前記軸が回転可能に結合される第１サポート部と、
前記第１サポート部の端部に円周方向に沿って係合され、前記固定子の回転磁界によって回転すると共に前記誘導回転子を回転させる第１マグネット部と、
前記軸が挿入されるように前記第１サポート部のセンター部に設置される第１ベアリング部と、を有し、
前記第２同期回転子は、
中央に前記軸が回転可能に結合される第２サポート部と、
前記第２サポート部の端部に円周方向に沿って係合され、前記固定子の回転磁界によって回転すると共に前記誘導回転子を回転させる第２マグネット部と、
前記軸が挿入されるように前記第２サポート部のセンター部に設置される第２ベアリング部とを有する、請求項１に記載のハイブリッド誘導電動機。
【請求項３】
前記第１ベアリング部はオイルレスベアリングであり、前記第１サポート部は非磁性体である、請求項２に記載のハイブリッド誘導電動機。
【請求項４】
前記第２ベアリング部はオイルレスベアリングであり、前記第２サポート部は非磁性体である、請求項２に記載のハイブリッド誘導電動機。
【請求項５】
前記第１サポート部及び第１マグネット部は一体に形成される、請求項２に記載のハイブリッド誘導電動機。
【請求項６】
前記第２サポート部及び第２マグネット部は一体に形成される、請求項２に記載のハイブリッド誘導電動機。
【請求項７】
前記第１マグネット部に対応する前記軸の長さは、前記第２マグネット部に対応する前記軸の長さより相対的に長く形成される、請求項２に記載のハイブリッド誘導電動機。
【請求項８】
前記第１マグネット部の端部と前記第２マグネット部の端部が所定間隔を保持するように、前記軸にストッパーが設置される、請求項２に記載のハイブリッド誘導電動機。
【請求項９】
前記ストッパーは非磁性体である、請求項８に記載のハイブリッド誘導電動機。
【発明の詳細な説明】
【技術分野】
【０００１】
本発明は、ハイブリッド誘導電動機に関し、特に、起動性能を改善し、変速回転を容易に実現し得るハイブリッド誘導電動機に関する。
【背景技術】
【０００２】
ハイブリッド誘導電動機とは、固定子と誘導回転子間に永久磁石（以下、同期回転子という）が自由回転可能に設置されることで固定子と誘導回転子が電磁気的に結合された構造の電動機である。
【０００３】
図７は、従来のハイブリッド誘導電動機を示す縦断面図であり、図８は、図７のＩ−Ｉ線断面図である。
【０００４】
図示されたように、従来のハイブリッド誘導電動機１０は、ケーシング１０ａの内側に固定設置される固定子１１と、該固定子１１の内側に所定間隔を有して回転可能に設置された同期回転子１４とを含む。該同期回転子１４の内側には所定間隔を有して回転可能に誘導回転子１３が設置され、該誘導回転子１３の中心には誘導回転子１３の回転力を外部に出力するための回転軸１５が固定されている。
【０００５】
固定子１１は、硅素鋼板を積層した鉄心であり、その内周面に回転磁界を発生する駆動コイル１６を巻線し得るように複数のスロット部１６ａが形成されている。
【０００６】
かつ、同期回転子１４は、固定子１１と誘導回転子１３間で自由回転可能に挿入されたマグネット部１４ａと、該マグネット部１４ａを支持するマグネットサポート部１４ｂと、該マグネットサポート部１４ｂが回転軸１５を中心に自由に回転し得るようにするベアリング部１４ｃとから構成される。
【０００７】
また、誘導回転子１３は、硅素鋼板を積層した鉄心に所定間隔有して複数の通孔１３ａが形成され、それら各通孔１３ａに棒導体１３ｂがそれぞれ挿入されたかご形誘導回転子（squirrel cage rotor）構造である。棒導体１３ｂの両端部には、エンドリング１３ｃがそれぞれ連結されている。符号１５ａは、軸ベアリングを示す。
【０００８】
以下、このように構成された従来のハイブリッド誘導電動機の動作を説明する。
【０００９】
まず、固定子１１の駆動コイル１６に１次電流が順次印加されて回転磁界が発生すると、該磁界に同期回転子１４が同期されて同期速度で回転する。同期回転子１４のマグネット部１４ａから発生した磁束が誘導回転子１３に対して回転磁界の役割を果たし、誘導回転子１３が滑りながら（slip）回転する。
【００１０】
ここで、誘導回転子１３に結合された回転軸１５が誘導回転子１３と一緒に回転すると共に、ファンのような他の部品に回転力を伝達する。
【００１１】
しかしながら、このように構成された従来のハイブリッド誘導電動機１０においては、誘導回転子１３と同期回転子１４との空隙の磁束密度がほぼ一定の状態で単一の同期回転子を有する構造になっているため、同期回転子１４の起動トルクが足りないことがあり、これを克服するためには、初期駆動の際、駆動コイル１６に大きな電流を供給しなければならないという問題があった。
【００１２】
また、駆動コイル１６に印加される電圧を変化させても空隙の磁束密度の変化は非常に小さいため、可変速運転を実現することが難しく、よって、電動機の効率が低下し、機能の多様化にも限界があるという問題があった。
【発明の開示】
【発明が解決しようとする課題】
【００１３】
本発明は、このような従来の問題点を解決するために提案されたもので、本発明の目的は、同期回転子の起動に必要な電流を低減することで電動機の効率を向上し得るハイブリッド誘導電動機を提供することにある。
【００１４】
また、本発明の他の目的は、誘導回転子の回転速度を容易に変更し得るハイブリッド誘導電動機を提供することにある。
【００１５】
また、本発明のさらに他の目的は、第１同期回転子及び第２同期回転子の同期過程で発生する振動を防止することで騒音を低減し得るハイブリッド誘導電動機を提供することにある。
【課題を解決するための手段】
【００１６】
このような目的を達成するために本発明に係るハイブリッド誘導電動機は、ケーシング内に固定設置される固定子と、固定子のセンター部に回転可能に挿入され、中心に軸が固定された誘導回転子と、固定子と誘導回転子との間で軸の外周方向に自由回転可能に設置された第１同期回転子と、第１同期回転子と対向するように、固定子と誘導回転子との間で軸の外周方向に自由回転可能に設置された第２同期回転子とを有することを特徴とする。
【００１７】
また、第１同期回転子は、中央に軸が回転可能に結合される第１サポート部と、第１サポート部の端部に円周方向に沿って係合され、固定子の回転磁界によって回転すると共に誘導回転子を回転させる第１マグネット部と、軸が挿入されるように第１サポート部のセンター部に設置される第１ベアリング部とを有し、第２同期回転子は、中央に軸が回転可能に結合される第２サポート部と、第２サポート部の端部に円周方向に沿って係合され、固定子の回転磁界によって回転すると共に誘導回転子を回転させる第２マグネット部と、軸が挿入されるように前記第２サポート部のセンター部に設置される第２ベアリング部とを有することが好ましい。
【００１８】
さらに、第１ベアリング部はオイルレスベアリングであり、第１サポート部は非磁性体であり、第２ベアリング部はオイルレスベアリングであり、第２サポート部は非磁性体であることが好ましい。
【００１９】
さらに、第１サポート部及び第１マグネット部、第２サポート部及び第２マグネット部は、それぞれ一体に形成されることが好ましい。
【００２０】
さらに、１マグネット部に対応する軸の長さは、第２マグネット部に対応する軸の長さより相対的に長く形成されることが好ましい。
【００２１】
さらに、第１マグネット部の端部と第２マグネット部の端部が所定間隔を保持するように、軸に非磁性体のストッパーが設置されることが好ましい。
【発明の効果】
【００２２】
本発明に係るハイブリッド誘導電動機は、軸に複数のストッパーを備えることで、第１同期回転子及び第２同期回転子の同期過程で軸方向に発生する振動を防止でき、よって、効果的に騒音を低減し得るという効果がある。
【００２３】
また、本発明に係るハイブリッド誘導電動機は、起動の際、起動電流を大幅に低減することで、電動機の騒音の減少及び効率の向上を達成し得るだけでなく、印加電圧の変化により同期回転の磁束が変化するので、ハイブリッド誘導電動機の回転速度を容易に変更でき、よって、これを採用した製品の機能の多様化を実現し得るという効果がある。
【発明を実施するための最良の形態】
【００２４】
以下、添付図面に基づいて本発明に係るハイブリッド誘導電動機について説明する。
【００２５】
図１は、本発明に係るハイブリッド誘導電動機の一実施形態を示す縦断面図で、図２は、図１のＩＩ−ＩＩ線断面図で、図３は、図１の同期回転子及び誘導回転子を示す斜視図で、図４〜図６は、図１の起動及び変速時の第１及び第２同期回転子の位置を示す概略図である。
【００２６】
図示されたように、本発明に係るハイブリッド誘導電動機１００は、二重同期回転子を有する誘導電動機であり、その構成は、ケーシング１１０ａの内部に挿入固定設置される固定子１１０と、該固定子１１０のセンター部に回転可能に設置され、中心に軸１２１が固定される誘導回転子１２０と、固定子１１０と誘導回転子１２０間で軸１２１の外周方向に自由回転可能に設置される第１同期回転子１３０と、該第１同期回転子１３０と対向するように固定子１１０と誘導回転子１２０間で軸１２１の円周方向に自由回転可能に設置される第２同期回転子１４０とを含む。
【００２７】
固定子１１０の一方には、該固定子１１０がＮ極又はＳ極の極性を有するように固定子コイル１１１が巻かれるコイル巻取部１１６が形成されている。
【００２８】
誘導回転子１２０の中心には軸１２１が固定される軸孔１２３が形成され、その外郭には円周方向に沿って複数の導体孔１２４が等間隔で形成され、それら導体孔１２４には導体バー１２５がそれぞれ設置されている。
【００２９】
導体バー１２５は、ダイキャスト（Die Casting）により形成され、その材質としては一般にアルミニウムが使用されるが、銅を使用することもできる。かつ、各導体バー１２５の端部にはアルミニウムのエンドリング１２５ａが形成される。
【００３０】
第１同期回転子１３０は、中央に軸１２１が回転可能に結合される第１サポート部１３１と、該第１サポート部１３１の端部に円周方向に沿って結合されることで固定子１１０の回転磁界によって回転しながら誘導回転子１２０を回転させるシリンダ状の第１マグネット部１３３と、軸１２１が挿入されるように第１サポート部１３１のセンター部に設置される第１ベアリング部１３５とから構成される。
【００３１】
また、第２同期回転子１４０も、中央に軸１２１が回転可能に結合される第２サポート部１４１と、該第２サポート部１４１の端部に円周方向に沿って結合されて固定子１１０の回転磁界によって回転しながら誘導回転子１２０を回転させるシリンダ状の第２マグネット部１４３と、軸１２１が挿入されるように第２サポート部１４１のセンター部に設置される第２ベアリング部１４５とから構成される。ここで、第１サポート部１３１及び第２サポート部１４１は、非磁性体で形成される。
【００３２】
また、図３に示すように、第１マグネット部１３３及び第２マグネット部１４３は、それぞれ複数の極を有してそれぞれ半径方向に着磁されており、円周方向に沿ってＮ極とＳ極が交互に形成される。
【００３３】
また、第１マグネット部１３３に対応する軸の長さ（Ｌ1）は、第２マグネット部１４３に対応する軸の長さ（Ｌ2）より相対的に長く形成されることが好ましい。
【００３４】
ここで、第１マグネット部１３３は、射出成形により第１サポート部１３１と一体に形成され、第２マグネット部１４３も射出成形により第２サポート部１４１と一体に形成される。
【００３５】
また、軸１２１が円滑に回転するために第１ベアリング部１３５及び第２ベアリング部１４５はオイルレスベアリングで形成される。
【００３６】
また、第１マグネット部１３３の端部１３３ａと第２マグネット部１４３の端部１４３ａが所定間隔を保持し得るように軸１２１に複数のストッパー２７０が設置されている。より詳しくは、２つのストッパー２７０は第１同期回転子１３０の両側に位置し、他の２つのストッパー２７０は第２同期回転子１４０の両側に位置する。各ストッパー２７０によって、第１同期回転子１３０及び第２同期回転子１４０は、軸１２１の長手方向には滑らずに軸１２１の外周方向にのみ回転し得る。
【００３７】
ここで、ストッパー２７０は、磁束に影響を与えないように、非磁性体であることが好ましい。
【００３８】
第１同期回転子１３０及び第２同期回転子１４０の同期過程で、軸方向に振動が発生することがあるが、このとき、ストッパー２７０はこのような振動を防止して騒音を低減する役割を果たす。
【００３９】
また、第１同期回転子１３０及び第２同期回転子１４０と固定子１１０との間には第１空隙ｔ１が形成され、第１同期回転子１３０及び第２同期回転子１４０と誘導回転子１２０との間には第２空隙ｔ２が形成され、第１同期回転子１３０と第２同期回転子１４０間には第３空隙ｔ３が形成されている。
【００４０】
以下、図１〜図６に基づいて本発明に係るハイブリッド誘導電動機の一実施形態の動作について説明する。
【００４１】
まず、固定子１１０の駆動コイル１１１に１次電流が順次印加されて回転磁界が発生すると、該回転磁界により第１同期回転子１３０及び第２同期回転子１４０が同期されて同期速度で回転する。
【００４２】
ここで、第１マグネット部１３３及び第２マグネット部１４３により発生した磁束が回転磁界の役割を果たし、誘導回転子１２０が滑りながら回転する。ここで、該誘導回転子１２０に固定された軸１２１を介して出力が外部に伝達される。
【００４３】
一方、第１同期回転子１３０及び第２同期回転子１４０は、同期される前は、図４及び図５の状態以外の状態、すなわち、第１同期回転子１３０及び第２同期回転子１４０の各極が任意に対向するように配列された状態以外の状態で同期速度になる直前まで回転する。
【００４４】
その後、第１同期回転子１３０及び第２同期回転子１４０が同期された状態では、駆動コイル１１１に印加される電圧が大きいため、固定子１１０から出力される磁力が第１同期回転子１３０及び第２同期回転子１４０の相異なる極が引き合う力より十分大きい場合、図４及び図５に示すように、第１同期回転子１３０及び第２同期回転子１４０がＮ−Ｎ、Ｓ−Ｓ又はＮ−Ｓ、Ｓ−Ｎのように集まって（対向して）同期速度で回転する。ここで、第１同期回転子１３０及び第２同期回転子１４０の内側に発生する回転磁界が最大となるため、結局、誘導回転子１２０の回転速度が最大となる。
【００４５】
また、駆動コイル１１１に印加される電圧が小さいため、固定子１１０から出力される磁力が第１同期回転子１３０及び第２同期回転子１４０の相異なる極が引き合う力より十分大きくない場合は、図６に示すように第１同期回転子１３０及び第２同期回転子１４０は同一極が少しだけ重なった状態を保持しながら同期速度で回転し、この過程で第１同期回転子１３０及び第２同期回転子１４０の内側の回転磁界の強度が弱くなるため、誘導回転子１２０の回転速度が減少する。
【００４６】
このように、本発明に係るハイブリッド誘導電動機の一実施形態においては、図４の状態から図５の状態に転換される過程で、駆動コイル１１１から発生する回転磁界の強度が弱い場合、第１同期回転子１３０及び第２同期回転子１４０が駆動コイル１１１の回転磁界に交互に同期する現象が発生する。これにより、第１同期回転子１３０及び第２同期回転子１４０の極数が約２倍に増加する効果が発生するため、初期駆動の時、第１同期回転子１３０及び第２同期回転子１４０を同期速度で回転させるための回転磁界を大幅に低減することができる。
【００４７】
第１同期回転子１３０及び第２同期回転子１４０が駆動コイル１１１の回転磁界に交互に同期する過程中に、第１同期回転子１３０及び第２同期回転子１４０が軸１２１に固定されない場合、第１同期回転子１３０と第２同期回転子１４０間に発生する引力及び斥力により第１同期回転子１３０及び第２同期回転子１４０が軸１２１の長手方向の力を受けるようになるが、このとき、ストッパー２７０は、第１同期回転子１３０と第２同期回転子１４０間に所定間隔（空隙）ｔ３を保持するため、結局、振動を防止して騒音を効果的に低減する役割を果たす。
【図面の簡単な説明】
【００４８】
【図１】本発明に係るハイブリッド誘導電動機の一実施形態を示す縦断面図である。
【図２】図１のＩＩ−ＩＩ線断面図である。
【図３】図１の同期回転子及び誘導回転子を示す斜視図である。
【図４】図１の起動及び変速時の第１及び第２同期回転子の位置を示す概略図である。
【図５】図１の起動及び変速時の第１及び第２同期回転子の位置を示す概略図である。
【図６】図１の起動及び変速時の、第１及び第２同期回転子の位置を示す概略図である。
【図７】従来のハイブリッド誘導電動機を示す縦断面図である。
【図８】図７のＩ−Ｉ線断面図である。
【符号の説明】
【００４９】
１１０    固定子
１１０ａ    ケーシング
１１１    固定子コイル
１１６    コイル巻取部
１２０    誘導回転子
１２１    軸
１２１ａ    ベアリング部
１２３    軸孔
１２４    導体孔
１２５    導体バー
１３０    第１同期回転子
１３１    第１サポート部
１３３    第１マグネット部
１３５    第１ベアリング部
１４０    第２同期回転子
１４１    第２サポート部
１４３    第２マグネット部
１４５    第２ベアリング部
２７０    ストッパー
【図１】
2006296184.tif 000003
【図２】
2006296184.tif 000004
【図３】
2006296184.tif 000005
【図４】
2006296184.tif 000006
【図５】
2006296184.tif 000007
【図６】
2006296184.tif 000008
【図７】
2006296184.tif 000009
【図８】
2006296184.tif 000010